(57)【特許請求の範囲】
【請求項１】
操作部と、
前記操作部に対する文字入力操作に応じて入力される入力文字の複数の変換候補を変換候補文字表示領域に表示する表示部と、
前記表示部に表示するのに必要な表示領域があらかじめ定められた前記変換候補文字表示領域の１行当たり表示可能な表示領域を超える前記入力文字の変換候補の表示を抑制する制御部と、を備え、
前記制御部は、
前記表示部に表示するのに必要な表示領域が、あらかじめ定められた前記変換候補文字表示領域の１行当たり表示可能な表示領域を超える前記入力文字の変換候補の当該超える部分の文字表示を抑制し、
前記制御部は、
前記表示部に表示するのに必要な表示領域が、あらかじめ定められた前記変換候補文字表示領域の１行当たり表示可能な表示領域を超える前記入力文字の変換候補の文字表示を抑制するとともに、当該抑制した旨を前記表示部に表示し、
前記制御部は、
前記入力文字の変換候補の表示が抑制された状態において、当該変換候補が選択されると、当該変換候補の文字表示抑制を解除し、前記入力文字の変換候補を前記表示部に表示し、
前記制御部は、
前記入力文字の変換候補が複数であるか、単数であるか判定し、
前記入力文字の変換候補が複数ある場合、前記複数の変換候補のうち前記表示部に表示するのに必要な表示領域があらかじめ定められた前記変換候補文字表示領域の１行当たり表示可能な表示領域を超える変換候補の表示を抑制し、
前記入力文字の変換候補が単数の場合、前記単数の変換候補を前記表示部に表示するのに必要な表示領域があらかじめ定められた前記変換候補文字表示領域の１行当たり表示可能な表示領域を超えていても前記表示の抑制をしない
ことを特徴とする携帯表示機器。
【請求項２】
前記制御部は、
前記入力文字の変換候補を第１の文字サイズで表示する第１のモードと、前記第１の文字サイズよりも大きい第２の文字サイズで表示する第２の表示モードとを設定可能に構成され、
前記第２の表示モードが設定された場合、前記入力文字の変換候補を前記表示部に表示するのに必要な表示領域が、あらかじめ定められた前記変換候補文字表示領域の１行当たり表示可能な表示領域を超えると前記変換候補の表示を抑制し、
前記第１の表示モードが設定された場合、前記入力文字の変換候補を前記表示部に表示するのに必要な表示領域が、あらかじめ定められた前記変換候補文字表示領域の１行当たり表示可能な表示領域を超えても前記表示の抑制をしない
ことを特徴とする請求項１に記載の携帯表示機器。
【発明の詳細な説明】
【技術分野】
【０００１】
本発明は、入力文字の変換候補を表示する携帯表示機器および携帯表示機器における制御方法に関するものである。
【背景技術】
【０００２】
携帯電話等において、電子メールの作成時に入力される文字列の変換候補を予測し、この予測した変換候補を表示部に表示する技術が知られている。
【０００３】
例えば、特許文献１には、文字が入力されるとその文字とその文字の変換候補を表示部に表示する文字入力装置が提案されている。
【０００４】
【特許文献１】特開２００６−２０９５５８号公報
【発明の開示】
【発明が解決しようとする課題】
【０００５】
しかしながら、上記した特許文献１に開示された技術によれば、表示部の変換候補が表示される領域は有限であるため、表示部に表示するのに必要な表示領域が大きい変換候補が複数ある変換候補の中にある場合、他の変換候補の表示が制限され、その結果、変換候補の視認性が低下するという課題があった。
【０００６】
本発明は、表示部に表示するのに必要な表示領域が大きい変換候補が複数の選択候補の中にあっても他の選択候補の視認性の低下の抑制が図られる携帯表示機器および携帯表示機器における制御方法を提供することを目的とする。
【課題を解決するための手段】
【０００７】
本発明の第１の観点の携帯表示機器は、操作部と、前記操作部に対する文字入力操作に応じて入力される入力文字の複数の変換候補を変換候補文字表示領域に表示する表示部と、前記表示部に表示するのに必要な表示領域があらかじめ定められた前記変換候補文字表示領域の１行当たり表示可能な表示領域を超える前記入力文字の変換候補の表示を抑制する制御部と、を備え、前記制御部は、前記表示部に表示するのに必要な表示領域が、あらかじめ定められた前記変換候補文字表示領域の１行当たり表示可能な表示領域を超える前記入力文字の変換候補の当該超える部分の文字表示を抑制し、前記制御部は、前記表示部に表示するのに必要な表示領域が、あらかじめ定められた前記変換候補文字表示領域の１行当たり表示可能な表示領域を超える前記入力文字の変換候補の文字表示を抑制するとともに、当該抑制した旨を前記表示部に表示し、前記制御部は、前記入力文字の変換候補の表示が抑制された状態において、当該変換候補が選択されると、当該変換候補の文字表示抑制を解除し、前記入力文字の変換候補を前記表示部に表示し、前記制御部は、前記入力文字の変換候補が複数であるか、単数であるか判定し、前記入力文字の変換候補が複数ある場合、前記複数の変換候補のうち前記表示部に表示するのに必要な表示領域があらかじめ定められた前記変換候補文字表示領域の１行当たり表示可能な表示領域を超える変換候補の表示を抑制し、前記入力文字の変換候補が単数の場合、前記単数の変換候補を前記表示部に表示するのに必要な表示領域があらかじめ定められた前記変換候補文字表示領域の１行当たり表示可能な表示領域を超えていても前記表示の抑制をしない。
【００１３】
また、本発明の携帯表示機器において、前記制御部は、前記入力文字の変換候補を第１の文字サイズで表示する第１のモードと、前記第１の文字サイズよりも大きい第２の文字サイズで表示する第２の表示モードとを設定可能に構成され、前記第２の表示モードが設定された場合、前記入力文字の変換候補を前記表示部に表示するのに必要な表示領域が、あらかじめ定められた表示領域を超えると前記変換候補の表示を抑制し、前記第１の表示モードが設定された場合、前記入力文字の変換候補を前記表示部に表示するのに必要な表示領域が、あらかじめ定められた表示領域を超えても前記表示の抑制をしない。
【発明の効果】
【００１５】
本発明によれば、表示部に表示するのに必要な表示領域が大きい変換候補が複数の選択候補の中にあっても他の選択候補の視認性の低下が抑制される携帯表示機器および携帯表示機器における制御方法を提供することができる。
【発明を実施するための最良の形態】
【００１６】
以下、図面を参照して本発明を実施するための最良の形態を説明する。
［第１の実施形態］
図１により、文字入力装置としての携帯電話機１における基本構造を説明する。図1は、携帯電話機１を開いた状態における外観斜視図を示す。
【００１７】
図1に示すように、携帯電話機１は、筐体としての操作部側筐体２と、表示部側筐体３と、を備える。操作部側筐体２と表示部側筐体３とは、ヒンジ機構を備える連結部４を介して開聞可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能に構成される。つまり、携帯電話機１は、操作部側筐体２と表示部側筐体３とが開いた状態（開状態）と、操作部側筐体２と表示部側筺体３とが折り畳まれた状態（閉状態）とにすることができる。ここで、閉状態とは、両筐体が互いに重なるように配置された状態であり、開状態とは、両箇体が互いに重ならないように配置された状態をいう。
【００１８】
操作部側筐体２は、外面がフロントケース２ａとリアケース２ｂとにより構成される。操作部側筐体２は、フロントケース２ａ側に、操作部としての操作キー群１２と、携帯電話機１の使用者が通話時に発した音声が入力されるマイクロフォンとしての音声入力部１５とがそれぞれ露出するように構成される。
【００１９】
操作キー群１２は、各種設定や電話帳機能やメール機能等の各種機能を作動させるための機能設定操作キー１２ａと、電話番号の数字やメール等の文字等を入力するための入力操作キー１２ｂと、各種操作における決定や上下左右方向のスクロール等を行う操作部材としての決定操作キー１２ｃとにより構成される。操作キー群１２を構成する各キーそれぞれには、操作部側筐体２と表示部側筐体３との開閉状態や各種モード、或いは起動されているアプリケーション等の種類に応じて所定の機能が割り当てられる（キー・アサイン）。そして、使用者が各キーを押圧することにより、各キーに割り当てられている機能に応じた動作が実行される。
【００２０】
音声入力部１５は、操作部側筺体２の長手方向における連結部４側と反対の外端部側に配置される。つまり、音声入力部１５は、携帯電話機１が開状態において一方の外端部側
に配置される。
【００２１】
操作部側筺体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００２２】
表示部側筐体３は、外面がフロントパネル３ａと、フロントケース３ｂと、リアケース３ｃと、リアパネル３ｄとにより構成される。表示部側筐体３におけるフロントケース３ｂには、各種情報を表示するための表示部１６と、通話の相手側の音声を出力するレシーバとしての音声出力部１４とが露出するように配置される。ここで、表示部１６は、液晶パネルと、この液晶パネルを駆動する駆動回路と、この液晶パネルの背面側から光を照射するバックライト等の光源部とから構成される。
【００２３】
図２は、本発明の第１の実施形態に係る携帯表示機器の信号処理系の構成例を示すブロック図である。ここでは、携帯表示機器として携帯電話１が例示されている。
【００２４】
図２に示されるように、携帯電話１は、通信部１１と、操作部１２と、音声処理部１３と、スピーカ１４と、マイクロフォン１５と、表示部１６と、記憶部１７と、制御部１８と、により構成される。
【００２５】
通信部１１は、複数の通信システムを捕捉し、所定の通信プロトコルにしたがい、不図示の移動通信網に接続される基地局を含む網側装置との間で無線通信を行う。
【００２６】
操作部１２は、例えば、電源キー、通話キー、数字キー、文字キー、方向キー、決定キー、発信キーなど、各種の機能が割り当てられたキーを有している。
操作部１２は、これらのキーがユーザによって操作された場合に、発生する信号をユーザの指示として制御部１８に入力する。ここでは、操作部１２は、送信メール作成時等の文字入力手段として機能する。
【００２７】
音声処理部１３は、スピーカ１４から出力される音声信号やマイクロフォン１５において入力される音声信号の処理を行う。
すなわち、音声処理部１３は、マイクロフォン１５から入力される音声を増幅し、アナログ／デジタル変換を行い、更に符号化等の信号処理を施し、デジタルの音声データに変換して制御部１８に出力する。
また、音声処理部１３は、制御部１８から入力される音声データに復号化、デジタル／アナログ変換、増幅等の信号処理を施し、アナログの音声信号に変換してスピーカ１４に出力する。
【００２８】
表示部１６は、例えば、液晶表示パネルや有機ＥＬ（Electro-Luminescence）パネルなどの表示デバイスを用いて構成されており、制御部１８から入力される映像信号に応じた画像を表示する。
表示部１６は、具体的には、発信時における発信先の電話番号、着信時における着信相手の電話番号、受信メールや送信メールの他に、日付、時刻、電池残量といったピクト画像、更には待受け画像等を表示する。
表示部１６はまた、送信メール作成時、操作部１２により入力される文字（以下、入力文字とする）を表示する第１の表示領域（以下、入力文字表示領域１６１という）と、後述する制御部１８による入力文字の変換により生成される変換候補を表示する第２の表示領域（以下、変換文字表示領域１６２という）に領域分けされる。
なお、入力文字表示領域１６１と、変換文字表示領域１６２については図７以降の表示画面構成例に示されている。
【００２９】
記憶部１７は、制御部１８における処理に利用される各種のデータ、例えば、制御部１８が実行するアプリケーションプログラム、通信相手の電話番号や電子メールアドレス等の個人情報を管理するアドレス帳、着信音やアラーム音を再生するための音声ファイル、各種の設定データ、プログラムの処理過程で利用される一時的なデータなどを記憶する。
記憶部１７には、更に、入力文字を変換する際に参照される変換辞書１７１が格納される他、直近の使用履歴に基いて更新可能に構成される表示優先度リスト（以下、ＭＲＵ１７２という）が格納される。変換辞書１７１およびＭＲＵ１７２は、図３に示されている通りである。いずれも詳細は後述する。
なお、上記した記憶部１７は、例えば、不揮発性の記憶デバイス（フラッシュメモリ）やランダムアクセス可能な記憶デバイス（ＳＲＡＭ、ＤＲＡＭ）等によって構成される。
【００３０】
制御部１８は、携帯電話の全体的な動作を統括的に制御する。すなわち、携帯電話の各種の処理（回線交換網を介して行われる音声通話、電子メールの作成と送受信、インターネットのＷｅｂ（World Wide Web）サイトの閲覧などの制御）が操作部１２の操作に応じて適切な手順で実行されるように、上述した各ブロックの動作（通信部１１における信号の送受信、音声処理部１３における音声の入出力、表示部１６における画像の描画、表示など）を制御する。
制御部１８は、記憶部１７に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。すなわち、記憶部１７に格納されるオペレーティングシステムやアプリケーションプログラム等のプログラムから命令コードを順次読み込んで処理を実行する。
【００３１】
制御部１８はまた、操作部１２による入力文字を表示部１６の第１の表示領域（入力文字表示領域１６１）に表示するとともに、入力文字の変換候補を表示部１６の第２の表示領域（変換文字表示領域１６２）に表示するのに必要な領域（表示領域）があらかじめ定められた領域を超える場合に、当該変換候補の表示を抑制する制御を行う。
制御部１８は、更に、入力文字表示領域に表示される入力文字と変換候補文字表示領域に表示される入力文字の変換候補を第１の文字サイズで表示する第１のモード（通常モード）と、入力文字の変換候補を第１の文字サイズよりも大きい文字サイズで表示する第２の表示モード（拡大モード）とを設定可能に構成される。
なお、制御部１８は、拡大モードに設定した場合に限り、入力文字の変換候補を表示部１６の変換候補文字表示領域１６２に表示するのに必要な領域が、あらかじめ定められた領域を超えると変換候補の表示を抑制するよう構成されていても良い。
つまり、制御部１８は、拡大モードではなく、通常モードに設定した場合には、入力文字の変換候補を表示部１６の変換候補文字表示領域１６２に表示するのに必要な領域が、あらかじめ定められた領域を超えても変換候補の表示を抑制しないよう構成されていても良い。
【００３２】
ここで、制御部１８について、図３に機能展開されて示された図に基づいて説明する。制御部１８は、入力文字取得部１８１と、変換候補生成部１８２と、文字数判定部１８３と、表示文字抑制制御部１８４と、により構成される。
【００３３】
入力文字取得部１８１は、ユーザが操作部１２を操作することにより入力される入力文字を取り込んで変換候補生成部１８２へ供給する。
変換候補生成部１８２は、入力文字取得部１８１により取り込まれた入力文字に基づき記憶部１７に格納された変換辞書１７１を参照して１以上の変換候補を生成する。また、このように生成された変換候補を、ＭＲＵ１７２を参照しながら、表示文字抑制制御部１８４を介して表示部１６の変換候補文字表示領域１６２に定義された優先順にしたがい表示する。
【００３４】
文字数判定部１８３は、変換候補生成部１８２により生成される変換候補を表示部１６の変換候補文字表示領域１６２に表示するのに必要な領域があらかじめ定められた領域を超えるか否かを判定するために定義される表示文字抑制閾値を管理しており、変換候補生成部１８２により生成出力される変換候補と、この表示文字抑制閾値とを比較し、その結果に基づいて表示文字抑制制御部１８４を制御する。
なお、表示文字抑制閾値は、例えば、変換候補文字表示領域の１行当たりに表示可能な文字数（例えば文字の拡大表示を伴う特定のモードにおいては９文字）とする。但し、表示文字抑制閾値は、文字数に限らず、変換候補文字表示領域１６２における所定の表示面積であってもよい。
【００３５】
表示文字抑制制御部１８４は、変換候補生成部１８２による入力文字の変換により生成される変換候補を表示部１６の変換文字表示領域１６２に表示するのに必要な領域があらかじめ定められた領域（表示文字抑制閾値）を超える場合に、当該変換候補の文字表示を抑制する。
ここで、文字表示の抑制とは、変換候補を構成する文字数が、例えば、表示部１６の変換候補文字表示領域の１行に表示可能な文字数９より多い場合に、超えた文字数に相当する変換候補文字（１０文字目以降）を表示しないように制御することをいう。このとき、表示文字抑制制御部１８４は、変換候補の文字表示を抑制するとともに、当該抑制した旨を、例えば、リターン文字や矢印マーク等のアイコンにより注釈表示する。
【００３６】
また、表示文字抑制制御部１８４は、上記のように変換候補の文字の表示が抑制された状態において、当該変換候補が入力文字の変換のために選択されると、当該変換候補の文字表示抑制を解除してその変換候補（表示文字抑制閾値を越える部分に係る変換文字の文字部分も含めた変換候補）を変換候補文字表示領域に表示する。
また、表示文字抑制制御部１８４は、入力文字の変換の結果生成される変換候補が複数ある場合、当該複数の変換候補のうち表示部１６の変換候補文字表示領域に表示するのに必要な表示領域があらかじめ定められた表示領域を超える変換候補の文字表示を抑制する。
また、表示文字抑制制御部１８４は、入力文字の変換の結果生成される変換候補が単数の場合、あらかじめ定められた表示領域を超えていても単数の変換候補の当該文字表示を抑制しないための制御も行う。
【００３７】
図４は、本発明の実施の形態１に係る携帯表示機器の動作を示すフローチャートである。以下、図４に示すフローチャートを参照しながら図２、図３に示す本発明の実施の形態１に係る携帯表示機器の動作について詳細に説明する。
【００３８】
図４のフローチャートにおいて、送信メール作成時、ユーザが操作部１２に割り付けられた文字キーを操作することにより文字入力が行われる（ステップＳ３０１“Ｙｅｓ”）。
これを受けて制御部１８の入力文字取得部１８１は、キースキャン等により入力文字、あるいは入力文字列をキーコードに変換して取り込み（ステップＳ３０２）、そのキーコードを変換候補生成部１８２へ出力する。文字入力が無い場合（ステップＳ３０１“Ｎｏ”）、入力文字取得部１８１は、ユーザによる文字入力があるまで待機する。
【００３９】
変換候補生成部１８２では、取り込まれたキーコードに基づき、記憶部１７に格納されてある変換辞書１７１を参照し、例えば仮名漢字変換による変換候補を生成して（ステップＳ３０３）文字数判定部１８３へ出力する。
ここで、変換候補が複数存在する場合（ステップＳ３０４“Ｙｅｓ”）、変換候補生成部１８２は、更に、記憶部１７に格納された表示優先度リスト１７２を参照し、過去の使用履歴に基づいて更新可能に構成される表示優先度順に従ってその変換候補を文字数判定部１８３に出力する。なお、ここで最優先に出力される変換候補は、直近に候補選択された変換候補である。
【００４０】
一方、文字数判定部１８３は、変換候補生成部１８２から供給された全変換候補と、上記した表示文字抑制閾値とを比較し、その結果を表示文字抑制制御部１８４に出力する。
表示文字抑制制御部１８４は、文字数判定部１８３から、変換候補の文字数が表示文字抑制閾値を超えている旨の情報を受け取ると（Ｓ３０５“Ｙｅｓ”）、その超えた部分に係る変換候補文字を表示しないように文字表示の抑制制御をする。
また、このとき、表示文字抑制制御部１８４は、変換候補の文字表示の抑制と併せて、当該抑制した旨を、例えば、リターン文字や矢印マーク等により注釈表示する（ステップＳ３０６）。図７（ｂ）は、リターン文字により変換候補の文字表示を抑制した表示画面構成の一例を示す図である。
【００４１】
なお、ステップＳ３０４の処理において、変換候補生成部１８２による変換候補が単数の場合（ステップＳ３０４“Ｎｏ”）、表示文字抑制制御部１８４は、上記した変換候補の文字表示の抑制を行うことなく、単数の変換候補を抑制することなく文字表示する（ステップＳ３０９）。図８は、この場合の表示画面構成の一例を示す図である。
【００４２】
次に、上記したように変換候補の文字の表示が抑制された状態において、ユーザの操作部１２への操作により、文字表示が抑制された変換候補が選択されると（ステップＳ３０７“Ｙｅｓ”）、表示文字抑制制御部１８４は、当該変換候補の文字表示抑制を解除し（ステップＳ３０８）、変換候補を文字表示抑制することなく表示部１６の変換候補文字表示領域１６２に表示する（ステップＳ３０９）。
なお、文字表示が抑制された変換候補が選択されない場合は（ステップＳ３０７“Ｎｏ”）、表示部１６の変換候補文字表示領域に表示される変換候補の抑制表示は継続する（ステップＳ３０９）。
【００４３】
図７は、上記した変換候補の文字表示抑制制御により生成される表示画面構成の一例を示す図である。
【００４４】
図７（ａ）は通常モード設定時、図７（ｂ）は拡大モード設定時の表示画面構成例である。
図７（ｂ）に示されるように、変換候補の文字数が比較的多く、他の変換候補が表示しきれない場合に、変換文字表示領域１６２の１行に表示可能な例えば９文字だけの表示（あそこにみえるあか）とし、表示しきれない文字（い夕焼けはとてもきれいです）、つまり、表示文字抑制閾値を超えている部分に係る部分を改行マーク等で代替表示することにより、次の行には次の変換候補を表示している。
【００４５】
図８は、変換候補が１個しか存在しない場合（単数の場合）の表示が画面構成例である。図８に示されるように、変換候補が単数の場合は、他の変換候補が表示しきれないという事態が観念できないため、変換文字表示領域１６２に、１個ある変換候補（もし傘を２本もっていたら貸してもらえませんか）の全ての文字が表示されている。
【００４６】
なお、図９、図１０は、従来の表示画面構成例を示したものであり、図７同様、いずれも（ａ）は通常モード設定時、図７（ｂ）は拡大モード設定時の表示画面構成例である。図９の例では、文字が拡大されたために変換文字表示領域１６２に表示される変換候補の数が減少し、また、図１０の例では、直近に選択された変換候補が３行にも渡った他の変換候補の表示を制限していることがわかる。
【００４７】
以上説明のように第１の実施形態に係る携帯表示機器によれば、表示優先度が高い変換候補の文字数が複数あり、他の変換候補の表示が制限される場合、文字抑制閾値を超える変換候補について、例えば１行だけの表示とし、表示しきれない文字をアイコン等で代替表示することで、変換候補の文字は拡大表示して視認性は向上しつつ、次行には他の変換候補を表示することが可能となり、変換文字表示領域１６２に表示可能な変換候補数が増え、変換候補選択時の使い勝手も維持することができる。
また、変換候補が単数の場合、あるいは他の変換候補が少なく、全てを表示可能な場合は、単数の変換候補を構成する文字数が表示文字抑制閾値を超えた場合であっても全ての文字を表示することを可能にすることで、より柔軟な対応が可能であり、使い勝手の向上がはかられる。
【００４８】
［第２の実施形態］
次に、携帯電話機１に、メニュー表示や機能設定を制限し、あるいは機能設定値を変更する等により、お年寄りや子供、あるいはユーザのライフスタイルに合わせ使い易く設定された機能（「かんたんモード機能」）が搭載され、当該機能の設定と同期して文字サイズを切り替えることのできる携帯電話１を第２の実施形態として以下に説明する。
以下に説明する第２の実施形態によれば、携帯電話１の内部構成は図２に示す実施の形態と同様であるが、制御部１８の内部構成、および動作が、一部異なる。
【００４９】
図５は、本発明の実施の形態２に係る制御部１８の内部構成を機能展開して示したブロック図である。
図５に示す実施の形態１との構成上の差異は、実施の形態１が有する構成に、更に、表示モード設定部１８５と、文節分割部１８６と、が付加されたことにある。
【００５０】
表示モード設定部１８５は、表示部１６の入力文字表示領域に表示される入力文字、および変換候補文字表示領域に表示される入力文字に対する変換候補を拡大表示する第１の文字サイズで表示する第１のモード（通常モード）と、入力文字の変換候補を第１の文字サイズよりも大きい第２の文字サイズで表示する当該第１のモードにおける拡大表示が抑制された第２の表示モード（拡大モード）とを管理し、操作部１２を介して行われるユーザ設定にしたがい表示文字抑制制御部１８４による表示文字の抑制を制御する。
表示文字抑制制御部１８４は、通常モードに設定された場合、入力文字の変換候補を表示部１６の変換候補文字表示領域１６２に表示するのに必要な領域が、あらかじめ定められた表示領域を超えても当該変換候補の文字表示を抑制しない。
一方、表示文字抑制制御部１８４は、拡大モードに設定した場合、入力文字の変換により生成される変換候補を表示部１６の変換候補文字表示領域１６２に表示するのに必要な表示領域が、あらかじめ定められた表示領域を超えると当該変換候補の文字表示を抑制するように制御する。
【００５１】
なお、文節分割部１８６は、変換候補生成部１８２で生成された入力文字に対する１以上の変換候補を文節毎に分解して文字数判定部１８３に供給するものであり、文字数判定の際に実施の形態１のように行単位で判定せず、文節単位で判定することを意図して付加したものである。
ここで、文字表示の抑制とは、文節毎に分割された変換候補の最初の文節に係る文字部分を表示部１６の変換候補文字表示領域１６２に表示し、最初の文節に係る文字部分以外の文字を表示しないように制御することをいう。すなわち、文節分割部１８６により分割された変換候補の各文節の文字数が表示文字抑制閾値を越える場合に実施の形態１で示した変換候補の表示文字の抑制制御を行うものである。
【００５２】
図６は、本発明の実施の形態２に係る携帯表示機器の動作を示すフローチャートである。以下、図５に示すフローチャートに関連付けて図２、図５に示す本発明の第２の実施形態に係る携帯表示機器の動作について詳細に説明する。
【００５３】
送信メール作成時、ユーザが操作部１２に割り付けられた文字キーを操作することにより文字入力が行われる（ステップＳ５０１“Ｙｅｓ”）。これを受けて制御部１８の入力文字取得部１８１は、キースキャン等により入力文字、あるいは入力文字列をキーコードに変換して取り込み（ステップＳ５０２）、変換候補生成部１８２へ出力する。文字入力が無い場合は（ステップＳ５０１“Ｎｏ”）、文字入力があるまで待機する。
変換候補生成部１８２では、取り込まれたキーコードに基づき、記憶部１７に格納されてある変換辞書１７１を参照し、例えば仮名漢字変換による変換候補を生成して（ステップＳ５０３）文節分割部１８６へ出力する。
ここで、変換候補が複数存在する場合、変換候補生成部１８２は、更に、記憶部１７に格納されたＭＲＵ１７２を参照し、過去の使用履歴に基づいて更新される表示優先度順に従ってその変換候補を文字判定部１８３に出力する。
なお、ここで最優先に出力される変換候補は、直近に選択された変換候補である。
【００５４】
ここで、ユーザが、操作部１２を操作することにより拡大モードが設定されていたものとする。拡大モード設定時（ステップＳ５０４“拡大”）、表示モード設定部１８５は、表示文字抑制制御部１８４による変換候補の表示文字の抑制処理を起動する。
すなわち、変換候補生成部１８２から複数の変換候補を取得した文節分割部１８６では、全変換候補を、文節単位に分割して文字数判定部１８３へ出力する（ステップＳ５０５）。
これにより、文字数判定部１８３では、出力された全変換候補と、上記した表示文字抑制閾値とを比較し、その結果を表示文字抑制制御部１８４に出力する。
表示文字抑制制御部１８４は、文字数判定部１８３から、表示文字抑制閾値＜変換候補文字数である旨の結果を受け取ると（Ｓ５０６“Ｙｅｓ”）、その結果の対象となる変換文字の最初の文節に係る文字部分を表示部１６の変換候補文字表示領域に表示し、最初の文節に係る文字部分以外の文字を表示しないように制御する文字表示の抑制を行う（ステップＳ５０７）。以上の処理（ステップＳ５０６、Ｓ５０７）は、変換候補毎に繰り返し実行される（ステップＳ５０８）。
【００５５】
一方、ステップＳ５０４の処理において、表示モードとして通常モードが指示されていた場合（ステップＳ５０４“Ｎｏ”）、変換候補文字表示領域１６２に表示可能な変換候補の数は拡大モードのときに比べて多いため、表示文字抑制制御部１８４は、上記した変換候補の文字表示の抑制制御を行う必要性が少ないため、変換候補を構成する全ての文字表示を行う（ステップＳ５０９）。
なお、上記したように変換候補の文字の表示が抑制された状態において、ユーザにより文字表示が抑制された変換候補（文節）が選択された場合、表示抑制された次文節以降の変換候補が表示される。
【００５６】
以上説明のように本第２の実施形態に係る携帯表示機器によれば、例えば、お年寄りをターゲットにした「かんたんモード」のときに拡大モードに設定することで、変換候補の文字数が比較的多い（長い）場合でも表示部１６の変換文字表示領域１６２に変換候補を数多く表示することが可能になり、通常時と同様の使い勝手を維持することができる。また、モード選択によって、変換候補の表示方法を自動的に変更することができ、ユーザの利便性が向上する。
なお、変換候補が長い場合、当該変換候補の文字全体を抑制するのではなく、最初の文節以降に係る変換候補の文字部分を表示抑制することにより、表示抑制された変換候補の最初の文節についてはユーザは少なくとも認識することができるため、表示抑制された変換候補の意味内容については理解し易くなり、変換候補の選択しやすさが向上する。
【００５７】
また、本発明における携帯表示機器における制御方法は、例えば、図２において、文字入力を行う操作部１２と、前記操作部１２により入力される文字が表示される第１の表示領域表示部１６と、操作部１２による入力文字を表示部１６の第１の表示領域に表示するとともに入力文字の変換候補を前記第２の表示領域に表示する制御部１８と、を備えた携帯表示機器（携帯電話１）における携帯表示機器における制御方法であって、例えば、図４において、操作部１２による入力文字を取り込む第１のステップ（Ｓ３０１、Ｓ３０２）と、入力文字を変換して１以上の変換候補を生成する第２のステップ（Ｓ３０３）と、生成される各変換候補を表示部１６の第２の表示領域に表示するのに必要な領域があらかじめ定められた領域を超えるか否かを判定する第３のステップ（Ｓ３０５）と、前記第３のステップにおいてあらかじめ定められた領域を超えると判定された場合に、該当する変換候補の文字表示を抑制する第４のステップ（Ｓ３０６）と、を有するものである。
【００５８】
上記した本発明における携帯表示機器における制御方法によれば、変換候補を表示部１６の変換候補表示領域に表示するための領域が、予め定められた表示領域を超える場合、変換候補の表示が抑制されるため、変換候補を表示するために表示領域を多く必要とする場合でも他の変換候補の表示に与える影響を最小限に抑えることが出来、したがって、他の変換候補の視認性の低下が抑制され、かつ、変換候補選択時の使い勝手が維持できる。
【００５９】
なお、上記した本発明の第１および第２の実施形態に係る携帯表示機器によれば、携帯表示機器として携帯電話１のみ例示したが、同様の構成を有する、例えば、ＰＤＡ（Personal Digital Assistants）、や電子手帳、ゲーム機、あるいはノートＰＣ等に搭載される場合も同様に適用が可能である。
【００６０】
また、図３、図５に示す制御部１８が有する機能は、全てをソフトウェアによって実現しても、あるいはその少なくとも一部をハードウェアで実現してもよい。例えば、入力文字取得部１８１と、変換候補生成部１８２と、文字数判定部１８３と、表示文字抑制制御部１８４と、表示モード設定部１８５と、文節分割部１８６におけるデータ処理は、１または複数のプログラムによりコンピュータ上で実現してもよく、また、その少なくとも一部をハードウェアで実現してもよい。
【図面の簡単な説明】
【００６１】
【図１】本発明の実施の形態に係る携帯電話機の基本構造の一例を示す外観斜視図である。
【図２】本発明の第１の実施形態に係る携帯表示機器の信号処理系の構成例を示すブロック図である。
【図３】本発明の第１の実施形態に係る携帯表示機器が有する制御部の構成例を示すブロック図である。
【図４】本発明の第１の実施形態に係る携帯表示機器の動作を示すフローチャートである。
【図５】本発明の第２の実施形態に係る携帯表示機器が有する制御部の構成例を示すブロック図である。
【図６】本発明の第２の実施形態に係る携帯表示機器の動作を示すフローチャートである。
【図７】本発明の第１の実施形態に係る携帯表示機器の表示画面構成の一例を示す図である。
【図８】本発明の第１の実施形態に係る携帯表示機器の表示画面構成の他の例を示す図である。
【図９】従来の携帯表示機器の表示画面構成の一例を示す図である。
【図１０】従来の携帯表示機器の表示画面構成の他の例を示す図である。
【符号の説明】
【００６２】
１…携帯電話（携帯表示機器）、２…操作部筐体、２ａ…フロントケース、２ｂ…リアケース、３…表示部筐体、３ａ…フロントパネル、３ｂ…フロントケース、３ｃ…リアケース、３ｄ…リアパネル、４…連結部、１１…通信部、１２…操作部（操作キー群）、１２ａ…機能設定操作キー、１２ｂ…入力操作キー、１２ｃ…決定操作キー、１３…音声処理部、１４…スピーカ（音声出力部）、１５…マイクロフォン（音声入力部）、１６…表示部、１７…記憶部、１８…制御部、１８１…入力文字取得部、１８２…変換候補生成部、１８３…文字数判定部、１８４…表示文字抑制制御部、１８５…表示モード設定部、１８６…文節分割部。
【図１】
0005248086.tif 000002
【図２】
0005248086.tif 000003
【図３】
0005248086.tif 000004
【図４】
0005248086.tif 000005
【図５】
0005248086.tif 000006
【図６】
0005248086.tif 000007
【図７】
0005248086.tif 000008
【図８】
0005248086.tif 000009
【図９】
0005248086.tif 000010
【図１０】
0005248086.tif 000011